(57)【要約】  【課題】  少ない台数の小型の撮像装置によって、撮像対象を正確に撮像することができる撮像装置を提供する。  【解決手段】  ２つの異なる撮像領域をそれぞれ撮像する第１撮像素子１および第２撮像素子２と、第１撮像素子１が一方の端部に取り付けられた第１支持体３と、第２撮像素子２が一方の端部に取り付けられた第２支持体４と、第１支持体３が回転可能なように第１支持体３の他方の端部が取り付けられているとともに、第２支持体４が回転可能なように第２支持体４の他方の端部が第１支持体３の他方の端部とは離間して取り付けられている支持台５とを有している撮像装置である。第１支持体３をこれ自体を回転軸として回転させて第１撮像素子１の撮像領域を調整し、第２支持体４をこれ自体を回転軸として回転させて第２撮像素子２の撮像領域を調整できるので、例えば２台の遊技機をそれぞれ良好に撮像することができる。【選択図】  図１
2011199600.tif 000002
【特許請求の範囲】
【請求項１】
２つの異なる撮像領域をそれぞれ撮像する第１撮像素子および第２撮像素子と、
前記第１撮像素子が一方の端部に取り付けられた第１支持体と、
前記第２撮像素子が一方の端部に取り付けられた第２支持体と、
前記第１支持体が回転可能なように該第１支持体の他方の端部が取り付けられているとともに、前記第２支持体が回転可能なように該第２支持体の他方の端部が前記第１支持体の他方の端部とは離間して取り付けられている支持台と
を有していることを特徴とする撮像装置。
【発明の詳細な説明】
【技術分野】
【０００１】
本発明は、装置内で位置を移動させることができる複数の撮像素子を有する撮像装置であって、監視の用途に効果的に供することができる撮像装置に関する。
【背景技術】
【０００２】
従来から、銀行，スーパーマーケット，コンビニエンスストアまたはパチンコホール等の各種店舗において種々のセキュリティシステムが導入されており、撮像装置による監視に対する需要は増大している。
【０００３】
特に、パチンコホールにおいて、撮像装置の重要性が高まってきている。このパチンコホールにおける遊技機としては、例えば以下のものがある。
【０００４】
まず、遊技玉等の遊技媒体を発射装置によって遊技領域に発射し、遊技領域に設けられている入賞口等の入賞領域に遊技媒体が入ると、所定数の景品遊技媒体が遊技者に払い出されるパチンコ機である。
【０００５】
また、遊技媒体としての遊技メダルを投入したことに基づく遊技可能状態で、外周部に複数種類の図柄が描かれた複数のリールを回転させて、停止時のリールの表示態様に応じて所定数の景品遊技媒体が払い出されるスロットマシン等もある。
【０００６】
これらの遊技機において、磁石を用いて遊技玉を所定の入賞口へ誘導して入賞率を高める不正行為や、強力な電磁波を遊技機の制御を行なうメイン基板に対して出力して誤動作させることによって景品遊技媒体の払い出しを行なわせる不正行為等が行なわれることがある。
【０００７】
従って、これらの遊技機が複数設置されるパチンコホールにおいては、撮像装置を設置して、このような不正行為を監視する等の対策がなされている。
【０００８】
そのための撮像装置を用いた監視方法としては、例えば対向配置された少なくとも第１および第２の遊技島を有している遊技店の遊技台監視方法であって、第１の遊技島を構成している第１の遊技台のそれぞれに第１の撮像装置を取り付け、第２の遊技島を構成している第２の遊技台のそれぞれに第２の撮像装置を取り付けて、第１の撮像装置によって第１の遊技台に対峙している第２の遊技台を監視し、第２の撮像装置によって第２の遊技台に対峙している第１の遊技台を監視するものがある（例えば、特許文献１を参照。）。
【０００９】
特許文献１に開示された撮像装置によれば、遊技店において一般に遊技島が平行に配列されている点に着目し、かかる配置を利用して、お互いに対峙している一方の遊技島の遊技台に設置した撮像装置によって、他方の遊技島における対峙している遊技台の前面部分の映像を取得するようにしているので、異常や不正行為をモニター画面上において直ちに認識可能な遊技台映像を得ることができるというものである。
【先行技術文献】
【特許文献】
【００１０】
【特許文献１】特開2005−52388号公報
【特許文献２】特開2006−95159号公報
【発明の概要】
【発明が解決しようとする課題】
【００１１】
しかしながら、特許文献１に開示された撮像装置においては、遊技台に対応した台数の撮像装置を設置しなければならないため、撮像装置の設置スペースが増大し、また、設置にコストがかかってしまうという問題点があった。
【００１２】
そこで、この問題点を解決するために、複数の撮影手段と、機器状態検出手段と、第１の撮影条件設定手段と、第２の撮影条件設定手段と、撮影制御手段と、トリミング領域設定手段と、拡大処理手段と、画像処理手段と、表示手段とを備えた撮像装置が提案されている（例えば、特許文献２を参照。）。
【００１３】
このような構成によれば、機器状態検出手段により異常状態検出信号が出力された異常状態時に当該異常状態信号に対応する遊技機付近を撮影するとともに、当該撮影範囲のうち特定領域の画像を拡大処理して表示手段の画面領域に表示するため、不正行為を行なった可能性がある人物画像および不正行為の様子を拡大して表示でき、不正行為を行なった可能性がある人物を正確に特定できるとともに、不正行為の様子を正確に捉えることができるというものである。なお、撮影手段は、例えば１台の撮影手段で10台の遊技機が撮影可能な位置に配置されるものであることが開示されていることから、設置スペースを減少させ、また、設置のコストを低減させることができるというものである。
【００１４】
しかしながら、特許文献２に提案された撮像装置においては、撮影している遊戯者同士が重なってしまうため、撮像装置から離れた場所にいる遊戯者は正確に撮像することができないという問題点があった。
【００１５】
これに対して、以上のような問題点を解決するために、２つの異なる撮像領域をそれぞれ撮像する第１撮像素子および第２撮像素子を有する１つの撮像装置が提案され得る。
【００１６】
このような撮像装置によれば、例えば、一方の遊技機を第１撮像素子によって撮像し、他方の遊技機を第２撮像素子によって撮像することができる。これによって、各遊技機を２つの撮像素子による画像で監視することができる。従って、１つの撮像装置の１つの撮像素子によって複数の遊技機を監視する場合と比較して、遊技機を操作している遊戯者同士が撮像した画像上で重なることが防ぐことができるというものである。
【００１７】
また、このような撮像装置と、第１および第２撮像素子で得られた画像を表示する１つの受像装置とを組み合わせて用い、受像装置には第１および第２撮像素子で得られた２つの画像を同時に表示するように設定しておけば、１つの撮像装置の２つの撮像素子によって２つの異なる撮像領域を撮像することができる。従って、１つの撮像領域について１つの撮像装置を設置する場合と比較して、１つの撮像装置によって２つの撮像領域を撮像できるので、撮像装置の数を少なくすることができ、撮像装置の設置スペースを減少させ、また、撮像装置の設置のコストを低減させることができるというものである。
【００１８】
しかしながら、第１および第２撮像素子の撮像領域を、ある種類の２台の遊技機にそれぞれ合わせるように撮像装置を設置した場合であっても、パチンコホールでは頻繁に遊技機の入れ替えが行なわれるため、入れ替わって別の種類の遊技機になってしまった後には、第１および第２撮像素子の撮像領域が遊技機から外れてしまうことがあり、その遊技機を操作する遊戯者を正確に撮像することができなくなることがあるという問題点があった。
【００１９】
また、この問題点の解決のため、撮像装置の設置位置を変更する手段をとったとしても、第１撮像素子で撮像する、第１撮像素子から近い一方の遊技機と、第２撮像素子で撮像する、第２撮像素子から近い他方の遊技機とが、互いに異なる機種の遊技機である場合が
ある。この場合には、例えば、他方の遊技機の一部に、第２撮像素子と撮像すべき遊戯機との間に介在することにより遊技機を撮像することを遮るような凸部が形成されていることがある。このような場合は、一方の遊技機に第１撮像素子の撮像領域を合わせるように撮像装置の設置位置を変更したとしても、他方の遊技機は凸部で遮られているため第２撮像素子で撮像することができず、その遊技機を操作する遊戯者を正確に撮像することができないという問題点があった。
【００２０】
本発明は上記のような従来の技術における問題点に鑑みてなされたものであり、その目的は、少ない台数の小型の撮像装置によって、撮像対象を正確に撮像することができる撮像装置を提供することにある。
【課題を解決するための手段】
【００２１】
本発明の撮像装置は、２つの異なる撮像領域をそれぞれ撮像する第１撮像素子および第２撮像素子と、前記第１撮像素子が一方の端部に取り付けられた第１支持体と、前記第２撮像素子が一方の端部に取り付けられた第２支持体と、前記第１支持体が回転可能なように該第１支持体の他方の端部が取り付けられているとともに、前記第２支持体が回転可能なように該第２支持体の他方の端部が前記第１支持体の他方の端部とは離間して取り付けられている支持台とを有していることを特徴とするものである。
【発明の効果】
【００２２】
本発明の撮像装置によれば、２つの異なる撮像領域をそれぞれ撮像する第１撮像素子および第２撮像素子と、第１撮像素子が一方の端部に取り付けられた第１支持体と、第２撮像素子が一方の端部に取り付けられた第２支持体と、第１支持体が回転可能なように第１支持体の他方の端部が取り付けられているとともに、第２支持体が回転可能なように第２支持体の他方の端部が第１支持体の他方の端部とは離間して取り付けられている支持台とを有していることから、第１支持体をこれ自体を回転軸として回転させることによって第１撮像素子の撮像領域の調整が可能となり、第２支持体をこれ自体を回転軸として回転させることによって第２撮像素子の撮像領域の調整が可能となる。従って、例えば、この撮像装置をパチンコホールに設置して、第１および第２撮像素子の撮像領域をある種類の２台の遊技機に合わせた後に他の種類の２台の遊技機に入れ替わってしまった場合であっても、第１および第２撮像素子の撮像領域を容易に調整することができるので、その２台の遊技機をそれぞれ正確に撮像することができる。
【００２３】
また、本発明の撮像装置によれば、例えば、第１撮像素子で撮像する、第１撮像素子に近い一方の遊技機と、第２撮像素子で撮像する、第２撮像素子に近い他方の遊技機とが互いに異なる機種の遊技機であり、他方の遊技機の一部に、第２撮像素子と撮像すべき遊戯機との間に介在することによって他方の遊技機を撮像することを遮るような凸部が形成されている場合であっても、第１および第２撮像素子の撮像領域の位置を容易に調整することができるので、第１および第２撮像素子の撮像領域を互いに入れ替えることによって、第１撮像素子は他方の遊技機に形成された凸部を避けて他方の遊技機を撮像できることとなる。従って、一方だけでなく他方の遊技機をも正確に撮像することができる。
【図面の簡単な説明】
【００２４】
【図１】本発明の撮像装置の実施の形態の一例を示す外観斜視図である。
【図２】（ａ）は本発明の撮像装置の第１支持体の実施の形態の一例を示す上面図であり、（ｂ）は（ａ）に示す第１支持体の正面図であり、（ｃ）は（ｂ）に示す第１支持体の右側側面図である。
【図３】（ａ）は図２に示す第１支持体の上側部材を回転させた後の状態を示す上面図であり、（ｂ）は（ａ）に示す第１支持体の正面図であり、（ｃ）は（ｂ）に示す第１支持体の右側側面図である。
【図４】図１に示す撮像装置の第１および第２支持体の上側部材を回転させた後の状態を示す外観斜視図である。
【図５】上側および下側筐体によって覆われた、本発明の撮像装置の実施の形態の一例を示す外観斜視図である。
【図６】本発明の撮像装置の回路の一例を示すブロック図である。
【図７】本発明の撮像装置が遊戯場内に設置された状態の一例を示す外観図である。
【図８】図７に示す遊戯場に一列に並べて設置された複数の遊技機、および遊技機の上方に取り付けられた図１に示す撮像装置の外観図である。
【図９】図７に示す遊戯場に一列に並べて設置された複数の遊技機、および遊技機の上方に取り付けられた図４に示す撮像装置の外観図である。
【図１０】（ａ）は本発明の撮像装置の第１支持体の実施の形態の他の例を示す右側側面図であり、（ｂ）は（ａ）に示す第１支持体の上側部材を曲げた後の状態を示す右側側面図である。
【図１１】（ａ）は本発明の撮像装置の第１支持体の実施の形態の他の例を示す上面図であり、（ｂ）は（ａ）に示す第１支持体の正面図であり、（ｃ）は（ｂ）に示す第１支持体の右側側面図である。
【図１２】（ａ）は図11に示す第１支持体において、下側部材に対して上側および中央部材を傾けた後の状態を示す上面図であり、（ｂ）は（ａ）に示す第１支持体の正面図であり、（ｃ）は（ｂ）に示す第１支持体の右側側面図である。
【図１３】（ａ）は本発明の撮像装置の第１支持体の実施の形態の他の例を示す右側側面図であり、（ｂ）は（ａ）に示す第１支持体を傾けた後の状態を示す右側側面図である。
【図１４】（ａ）は本発明の撮像装置の第１支持体の実施の形態の他の例を示す正面図であり、（ｂ）は（ａ）に示す第１支持体の右側側面図であり、（ｃ）は（ｂ）に示す第１支持体を傾けた後の状態を示す右側側面図である。
【発明を実施するための形態】
【００２５】
以下に、本発明の撮像装置の実施の形態の例について、図面を参照しつつ詳細に説明する。
【００２６】
図１は、本発明の撮像装置の実施の形態の一例を示す外観斜視図である。
【００２７】
図１に示す例の本発明の撮像装置10は、２つの異なる撮像領域をそれぞれ撮像する第１撮像素子１および第２撮像素子２と、第１撮像素子１が一方の端部に取り付けられた第１支持体３と、第２撮像素子２が一方の端部に取り付けられた第２支持体４と、第１支持体３が回転可能なように第１支持体３の他方の端部が取り付けられているとともに、第２支持体４が回転可能なように第２支持体４の他方の端部が第１支持体３の他方の端部とは離間して取り付けられている支持台５とを有している。
【００２８】
このような構成の撮像装置10によれば、第１支持体３をこれ自体を回転軸として回転させることによって第１撮像素子１の撮像領域の調整が可能となり、第２支持体４をこれ自体を回転軸として回転させることによって第２撮像素子２の撮像領域の調整が可能となる。従って、例えば、この撮像装置10をパチンコホールに設置して、第１および第２撮像素子１，２の撮像領域を、ある種類の２台の遊技機に合わせた後に他の種類の２台の遊技機に入れ替わってしまった場合であっても、第１および第２撮像素子１，２の撮像領域を調整することによって、その２台の遊技機をそれぞれ正確に撮像することができる。
【００２９】
また、このような構成の撮像装置10によれば、例えば、第１撮像素子１で撮像する、第１撮像素子１に近い一方の遊技機と、第２撮像素子２で撮像する、第２撮像素子２に近い他方の遊技機とが互いに異なる機種の遊技機であり、他方の遊技機の一部に、第２撮像素
子２と撮像すべき他方の遊戯機との間に介在することによって遊技機を撮像することを遮るような凸部が形成されている場合であっても、第１および第２撮像素子１，２の撮像領域を調整することができるので、第１および第２撮像素子１，２の撮像領域を互いに入れ替えることによって、第１撮像素子１は他方の遊技機に形成された凸部を避けて他方の遊技機を撮像できることとなる。従って、一方だけでなく他方の遊技機をも正確に撮像することができる。
【００３０】
このような撮像装置10は、遊技機を操作している遊技者の操作状況を監視する用途に効果的に供することができるものである。
【００３１】
第１および第２撮像素子１，２には、ＣＭＯＳ（Metal Oxide Semiconductor：金属酸
化膜半導体）イメージセンサーまたはＣＣＤ（Charge Coupled Device：電荷結合素子）
イメージセンサー等が使用される。
【００３２】
なお、第１および第２撮像素子１，２には、受光部に被写体光を集光させるレンズユニット（図示せず）が一体的に備えられている。
【００３３】
第１支持体３は、第１撮像素子１が一方の端部に取り付けられている。また、第１支持体３は、第１支持体３が回転可能なように他方の端部が支持台５に取り付けられている。
【００３４】
第２支持体４は、第２撮像素子２が一方の端部に取り付けられている。また、第２支持体４は、第２支持体４が回転可能なように他方の端部が第１支持体３の他方の端部とは離間して支持台５に取り付けられている。
【００３５】
以下に、図２を用いて、第１支持体３について説明する。図２（ａ）は、本発明の撮像装置10の第１支持体３の実施の形態の一例を示す上面図であり、図２（ｂ）は、図２（ａ）に示す第１支持体３の正面図であり、図２（ｃ）は、図２（ｂ）に示す第１支持体３の右側側面図である。
【００３６】
図２に示す例の第１支持体３は、ねじ孔が設けられた四角形状の第１板材61および第１板材61の１つの辺から直角に起き上がるように形成されており一方の主面に第１撮像素子１が取り付けられた四角形状の第２板材62からなる上側部材６と、ねじ孔が設けられた四角形状の第３板材73、第３板材73の１つの辺から直角に起き上がるように形成されている四角形状の第４板材74および第４板材74の上側の辺から水平方向に折れ曲がるように形成されておりねじ孔が設けられた四角形状の第５板材75からなる下側部材７とを有している。
【００３７】
また、第３板材73は、ねじ孔を通るねじによって支持台５に取り付けられている。なお、支持台５には、第３板材73のねじ孔と一致する位置にねじ孔が設けられている。
【００３８】
また、下側部材７の第５板材75の上面は、上側部材６の第１板材61の下面と当接しており、第５板材75および第１板材61のねじ孔の位置は一致しており、両者のねじ孔を通るねじによって第５板材75および第１板材61が接合されている。なお、このねじはナットによって締結されている。このようにして、下側部材７および上側部材６が接合されている。
【００３９】
第１支持体３は、図３に示す例のように、第１板材61のねじ孔に通したねじを軸として下側部材７に対して上側部材６を回転させることができる。図３（ａ）は、図２に示す第１支持体３の上側部材６を回転させた後の状態を示す上面図であり、図３（ｂ）は、図３（ａ）に示す第１支持体３の正面図であり、図３（ｃ）は、図３（ｂ）に示す第１支持体３の右側側面図である。
【００４０】
図３に示す例のように回転させるためには、第５板材75および第１板材61のねじ孔に通したねじの締結を緩めて、上側部材６が下側部材７に対して回転可能な状態にすればよい。この構成によって、第１撮像素子１が取り付けられた上側部材６を、支持台５に取り付けられた下側部材７に対して回転させることができるので、第１支持体３を、第１撮像素子１の撮像領域が調整可能なように回転させることができる。その後、所望の位置でねじを締結すれば、回転させた上側部材６をその位置で固定することができる。
【００４１】
なお、図４に示す例のように、第１支持体３においてだけでなく、第２支持体４においても、同様に上側部材８を下側部材９に対して回転させることができる構成としている。
【００４２】
図４は、図１に示す撮像装置10の第１および第２支持体３，４の上側部材６，８を回転させた後の状態を示す外観斜視図である。
【００４３】
第１支持体３の各部の寸法としては、例えば、上側部材６の第１板材61の寸法は、長さが10ｍｍ程度であり、幅が５ｍｍ程度であり、厚みが２ｍｍ程度である。上側部材６の第２板材62の寸法は、高さが10ｍｍ程度であり、幅が５ｍｍ程度であり、厚みが２ｍｍ程度である。下側部材７の第３板材73の寸法は、長さが10ｍｍ程度であり、幅が５ｍｍ程度であり、厚みが２ｍｍ程度である。下側部材７の第４板材74の寸法は、高さが20ｍｍ程度であり、幅が５ｍｍ程度であり、厚みが２ｍｍ程度である。そして、下側部材７の第５板材75の寸法は、長さが10ｍｍ程度であり、幅が５ｍｍ程度であり、厚みが２ｍｍ程度である。
【００４４】
第１支持体３の材料としては、鉄，ステンレススチールあるいはアルミニウム等が好適に使用される。第２支持体４の寸法および材料も、第１支持体３と同様である。
【００４５】
支持台５は、第１支持体３が回転可能なように第１支持体３の他方の端部が取り付けられているとともに、第２支持体４が回転可能なように第２支持体４の他方の端部が第１支持体３の他方の端部とは離間して取り付けられている。
【００４６】
第１支持体３の他方の端部が取り付けられている位置と、第２支持体４の他方の端部が取り付けられている位置とは、例えば５〜10ｍｍ程度離間している。
【００４７】
支持台５の材料としては、例えば、エポキシ樹脂，フェノール系樹脂，ＡＢＳ樹脂，アクリル樹脂またはポリカーボネート樹脂等の樹脂材料が使用される。あるいは第１支持体３および第２支持体４と同じ金属材料を使用しても構わない。この支持台５の形状は、円柱形状，円盤形状または直方体形状のいずれであってもよい。支持台５が円柱形状であった場合には、支持台５の寸法は、例えば平面視における円形状の直径が20ｍｍ程度であり、高さが10ｍｍ程度である。
【００４８】
以上で説明した本例の撮像装置10は、実際に遊技場で使用される場合には、図５に示すような構成で使用される。図５は、上側筐体11および下側筐体12によって覆われた、本発明の撮像装置の実施の形態の一例を示す外観斜視図である。
【００４９】
図５に示す例においては、透明のプラスチックで形成された半球形状の上側筐体11と、この上側筐体11の開口の周囲が対応する開口部に取り付けられている下側筐体12とで、第１および第２支持体３，４が取り付けられた支持台５を覆っている。この場合には、本例の撮像装置10に外部からの衝撃が、あるいは湿気等の環境の変化が直接加わることが防止されるので、耐久性が向上する点で好ましい。
【００５０】
なお、撮像装置10の第１および第２撮像素子１，２で撮像された画像を表示するための受像装置（図示せず）は、撮像装置10を制御するためのコンピュータソフトウエアおよびデータサーバ等で構成される画像制御手段と、ＣＲＴ（Cathode Ray Tube：陰極線管），テレビモニターまたは液晶ディスプレイ等の画像表示手段とで構成される。
【００５１】
また、画像を保存したり録画したりするためのＨＤＤ（Hard Disk Drive：ハードディ
スク）装置，光磁気ディスク装置またはビデオレコーダ等の画像保存手段を備えていることが好ましい。
【００５２】
なお、撮像装置10と受像装置とは、コンピュータ間の通信として一般的に用いられるイーサネット（登録商標）等で構築されたＬＡＮ（Local Area Network：ローカルエリアネットワーク）に接続することにより、複数の撮像装置10を１つの受像装置で制御して表示することができるとともに、任意の撮像装置10の任意の第１および第２撮像素子１，２の画像を、受像装置に瞬時に配信して表示することが容易になる。
【００５３】
次に、図６に示したブロック図によって、撮像装置10の回路の動作を説明する。図６は、本発明の撮像装置の回路の一例を示すブロック図である。図６に示したブロック図においては、第１および第２撮像素子１，２と、ネットワークカメラプロセッサＩＣ13と、ネットワーク送受信データ処理ＩＣ14と、フラッシュメモリ15と、マルチプレクサＩＣ16と、水晶発振器17と、タイミング信号発生回路18とから構成される回路を示している。
【００５４】
まず、撮像装置10に電源が投じられると、ネットワークカメラプロセッサＩＣ13は、フラッシュメモリ15に予め記憶されているデータを取り込む。
【００５５】
次に、この取り込まれたデータのうち、第１および第２撮像素子１，２のレジスタをセットするためのデータを、ネットワークカメラプロセッサＩＣ13が第１および第２撮像素子１，２にデータ信号として送信する。
【００５６】
第１および第２撮像素子１，２は、データ信号を受信し、この信号に応じてレジスタをセットする。
【００５７】
次に、撮像装置10に電源が投じられた後に、水晶発振器17が立ち上がり、所定の発振周波数を出力する。
【００５８】
なお、この発振周波数を所定の整数で割った値が、第１および第２撮像素子１，２から出力される画像信号の垂直同期周波数および水平同期周波数である。発振周波数をいくらの値の整数で割るかは、レジスタがセットされる際に設定されている。
【００５９】
次に、前述したように、水晶発振器17による発振周波数が第１および第２撮像素子１，２に入力され、その発振周波数によって定められた周期で、第１および第２撮像素子１，２は画像信号を出力する。
【００６０】
なお、第１および第２撮像素子１，２によって出力される画像信号の規格は、例えばＶＧＡ（640×480画素）であり、これらの画像信号は、プログレッシブ信号であり、８ビットパラレルデータとして出力されるものである。また、これらの画像信号は、ＵＹＶＹ形式で出力される。
【００６１】
また、第１および第２撮像素子１，２には、タイミング信号発生回路46にて生成される同期信号を同時に入力することで、それぞれの第１および第２撮像素子１，２からの画像信号の出力のタイミングを同期させることができる。
【００６２】
次に、第１および第２撮像素子１，２からそれぞれ出力される画像信号はマルチプレクサＩＣ16に入力される。
【００６３】
次に、マルチプレクサＩＣ16は、ネットワークカメラプロセッサＩＣ13から入力されたセンサー切換制御信号によって、第１および第２撮像素子１，２からそれぞれ出力された画像信号を選択する
なお、マルチプレクサＩＣ16による画像信号の切り換え制御は、送受信回路によって受信したセンサー切換制御信号の命令に従ってなされる。
【００６４】
次に、本発明の撮像装置10の内部に配置されている回路基板（図示せず）について説明する。
【００６５】
まず、回路基板は、絶縁基板として例えばガラス繊維にエポキシ樹脂を含浸させたものを使用する。
【００６６】
この回路基板の表面には、撮像素子コネクタ（図示せず），マルチプレクサＩＣ16，ネットワークカメラプロセッサＩＣ13，ネットワーク送受信データ処理ＩＣ14，フラッシュメモリ15，水晶発振器17，電源コネクタ（図示せず）およびネットワークコネクタ（図示せず）（ＲＪ−45コネクタ）が実装されている。
【００６７】
撮像素子コネクタは、フラットケーブルによって、第１および第２撮像素子１，２と接続されている。
【００６８】
マルチプレクサＩＣ16は、第１および第２撮像素子１，２から出力される画像信号を選択する画像切替回路としての役割を果たす。
【００６９】
ネットワークカメラプロセッサＩＣ13は、第１および第２撮像素子１，２に制御信号を送信する等の撮像装置10全体を制御する役割を果たしている。
【００７０】
ネットワーク送受信データ処理ＩＣ14は、撮像装置10のネットワーク回線19を介しての外部との通信を制御しているものである。
【００７１】
フラッシュメモリ15には、第１および第２撮像素子１，２に送信するための制御データ等が予め記録されている。
【００７２】
水晶発振器17は、第１および第２撮像素子１，２が出力する画像信号のタイミングを制御している。発振周波数は、例えば27ＭＨｚである。
【００７３】
水晶発振器（図示せず）は、ネットワークカメラプロセッサＩＣ13のタイミングを制御している。発振周波数は、例えば25ＭＨｚである。
【００７４】
水晶発振器（図示せず）は、ネットワーク送受信データ処理ＩＣ14を制御している。発振周波数は、例えば32.768ｋＨｚである。
【００７５】
電源コネクタは、撮像装置10への電源供給のための接続端子である。
【００７６】
ネットワークコネクタは、外部とのＬＡＮ接続を行なうための接続端子である。
【００７７】
以上で説明した撮像装置は、図７および図８に示す例のように、遊技場20で好適に使用
することができる。図７は、本発明の撮像装置が遊戯場内に設置された状態の一例を示す外観図である。また、図８は、図７に示す遊戯場20に一列に並べて設置された複数の遊技機21，22、および遊技機21，22の上方に取り付けられた図１に示す撮像装置10の外観図である。
【００７８】
なお、図７において、83はスイッチングハブを示し、24は子機側無線ＬＡＮルータを示し、25は親機側無線ＬＡＮルータを示し、86はデータベースを示し、87は遊技機21，22が複数並んでいる遊技機群を示している。また、28は管理室を示している。
【００７９】
なお、図８における29は第１撮像素子１の画角を示し、30は第２撮像素子２の画角を示しているものであり、画角29は第１撮像素子１の撮像領域に、画角30は第２撮像素子２の撮像領域にそれぞれ対応している。
【００８０】
図７および図８に示す例において、本発明の撮像装置10は、第１撮像素子１が一方の遊技機21を撮像し、第２撮像素子２が他方の遊技機22を撮像している。他方の遊技機22の一部に、第２撮像素子２と他方の遊戯機22との間に介在することによって他方の遊技機22を撮像することを遮るような凸部31が形成されている。なお、凸部31は、図８に示す例のように遊技機の角部の近傍に部分的に形成されている場合だけでなく、遊技機の上部に庇のように形成されている場合もある。
【００８１】
従って、第１撮像素子１は一方の遊技機21を撮像できるが、第２撮像素子２は、画面に凸部31が写り込むことによって他方の遊技機22を撮像できない。よって、この他方の遊技機22に対して遊戯者が不正行為を行なった場合には、撮像装置10によって十分な監視ができないように思われる。
【００８２】
これに対して、本発明の撮像装置10によれば、第１支持体３をこれ自体を回転軸として回転させることによって第１撮像素子１の撮像領域の位置の調整が可能であり、第２支持体４をこれ自体を回転軸として回転させることによって第２撮像素子２の撮像領域の位置の調整が可能である。従って、図９に示す例のように、第１撮像素子１が撮像していた一方の遊技機21を第２撮像素子２が画角30の撮像領域で撮像し、第２撮像素子２が撮像していた他方の遊技機22を第１撮像素子１が画角29の撮像領域で撮像するといったように、第１および第２撮像素子１，２の撮像領域を互いに入れ替えることができる。ここで、図９は、図７に示す遊戯場20に一列に並べて設置された複数の遊技機21，22、および遊技機21，22の上方に取り付けられた図４に示す撮像装置10の外観図である。なお、図９における29は第１撮像素子１の画角を示し、30は第２撮像素子２の画角を示しているものであり、画角29は第１撮像素子１の撮像領域に、画角30は第２撮像素子２の撮像領域にそれぞれ対応している。
【００８３】
このように、例えば第１および第２撮像素子１，２の撮像領域を互いに入れ替えることによって、第１撮像素子１は、第２撮像素子２が他方の遊技機22を撮像していた角度とは異なる角度で、他方の遊技機22を撮像することができる。また、第１撮像素子１は、第２撮像素子２より離れた位置から他方の遊技機22を撮像することができる。その結果、第１撮像素子１は、他方の遊技機22に形成された凸部31を避けて他方の遊技機22を撮像できることとなる。従って、一方の遊技機21だけでなく他方の遊技機22をも良好に撮像することができる。
【００８４】
なお、第１および第２撮像素子１，２の撮像対象となる遊戯機を互いに入れ替える際には、データサーバ86で動作している制御ソフトウエアを設定変更しておくことが好ましい。データサーバ86は、例えば、第１撮像素子１は一方の遊技機21を撮像しているものとして設定されているので、監視者が一方の遊技機21を画像で確認したい旨をデータサーバ86
に入力した場合には、データサーバ86は、第１撮像素子１が撮像した画像を選択して表示する。しかし、第１撮像素子１の撮像対象を他方の遊技機22に替えた際には、監視者が一方の遊技機21を画像で確認したい旨をデータサーバ86に入力した場合であっても、他方の遊技機22の画像を選択して表示してしまう。従って、監視者は、データサーバ86に対して、第１撮像素子１の撮像対象は他方の遊技機22に替わった旨を設定変更することが、監視を容易にするという点で好ましい。
【００８５】
また、前述したように、第１撮像素子１は、一方の遊技機21を操作している遊技者の操作状況を撮像し、第２撮像素子２は、他方の遊技機22を操作している遊技者の操作状況をそれぞれ撮像する。
【００８６】
従って、各遊技機21，22を２つの撮像素子１，２による画像で監視することができることとなる。よって、１つの撮像装置の１つの撮像素子によって複数の遊技機21，22を監視する場合と比較して、遊技機21，22を操作している遊戯者同士が撮像した画像上で重なることが防げる。
【００８７】
つまり、従来は、１つの撮像素子で例えば10台の遊技機21，22を撮像する場合には、図７に示す例のような、遊技場20の壁に沿って並べられた１列の遊技機群87の列と列との間の通路に対応した位置であって、その列に沿った方向を撮像するように遊技機群87から離れた壁42等に撮像装置を設置しており、このようにすると、遊技機21，22の列の奥の方にいる遊戯者については詳細に撮像することができなかった。これは、遊技機群87の列の後方にいる遊戯者は、遊技機群87の列の前方にいる遊戯者の陰に隠れてしまうからである。
【００８８】
しかし、本発明の撮像装置10によれば、図８に示す例のように、一方の遊技機21とその遊技機21に隣接する他方の遊技機22との間であって、その上方に撮像装置10を取り付けることによって、遊戯者同士が重なることなく、詳細に遊技機21，22を操作している遊戯者を撮像して監視することができる。
【００８９】
また、この例での撮像装置10は、遊技機21，22に対して100〜300ｍｍ程度の上方に取り付けられる場合に、遊戯者を確実に撮像できるものとするとよい。
【００９０】
また、図８および図９に示した撮像装置10の、第１および第２撮像素子１，２の画角29，30は、例えばそれぞれ30〜60°程度とする。
【００９１】
なお、本発明は上述した実施の形態の例に限定されるものではなく、本発明の要旨を逸脱しない範囲において種々の変更，改良等が可能である。
【００９２】
例えば、本発明の撮像装置10の第１支持体３は、第１支持体３自体を回転軸として回転する動きだけでなく、支持台５に対して傾くような動きもできるものであってもよい。
【００９３】
このような動きをするための第１支持体３の構成の例を、図10を用いて以下に説明する。図10（ａ）は、本発明の撮像装置10の第１支持体３の実施の形態の他の例を示す右側側面図であり、図10（ｂ）は、図10（ａ）に示す第１支持体23の上側部材26を傾けた後の状態を示す右側側面図である。
【００９４】
図10（ｂ）に示す例のように、第１支持体23の上側部材26の第２板材262を、上側部材26の第１板材261に向かって倒すように傾けることによって、第２板材262に取り付けられ
た第１撮像素子１は、下の方向を撮像することができる。なお、図示していないが、上側部材26の第２板材262を、上側部材26の第１板材261を、上側部材26の第１板材261から遠
のくように倒して傾けることによって、第２板材262に取り付けられた第１撮像素子１は
、上の方向を撮像することができる。その結果、第１撮像素子１によって撮像したい領域の上下方向の調整をも可能とすることができる。
【００９５】
また、第１支持体３の他の構成を、図11および図12を用いて以下に説明する。図11（ａ）は、本発明の撮像装置10の第１支持体３の実施の形態の他の例を示す上面図であり、図11（ｂ）は、図11（ａ）に示す第１支持体33の正面図であり、図11（ｃ）は、図11（ｂ）に示す第１支持体33の右側側面図である。
【００９６】
また、図12（ａ）は、図11に示す第１支持体33において、下側部材37に対して上側および中央部材36，35を傾けた後の状態を示す上面図であり、図12（ｂ）は、図12（ａ）に示す第１支持体33の正面図であり、図12（ｃ）は、図12（ｂ）に示す第１支持体33の右側側面図である。
【００９７】
図11に示す例のように、第１支持体33は、ねじ孔が設けられた四角形状の第１板材361
および第１板材361の１つの辺から直角に起き上がるように形成されており、一方の主面
に第１撮像素子１が取り付けられた第２板材362からなる上側部材36と、ねじ孔が設けら
れた２つの四角形状の板材351，352がＬ字型に接合された中央部材35と、ねじ孔が設けられた２つの四角形状の板材371，372がＬ字型に接合された下側部材37とを有している。
【００９８】
また、上側部材36の第１板材361の下面は、中央部材35の一方の板材351の上面と当接しており、両方のねじ孔を通るねじによって、上側部材36および中央部材35が接合されている。なお、このねじはナットによって締結されている。また、中央部材35の他方の板材352は、下側部材37の一方の板材371と当接しており、両方のねじ孔を通るねじによって、中央部材35および下側部材37が接合されている。また、下側部材37の他方の板材372は、ね
じ孔を通るねじによって支持台５に取り付けられている。なお、支持台５には、下側部材37の他方の板材372のねじ孔と一致する位置にねじ孔が設けられている。
【００９９】
この場合には、図12に示すように、中央部材35の他方の板材352と、下側部材37の一方
の板材371とを接合しているねじの締結を緩めることによって、上側および中央部材36，35を下側部材37に対して傾けることができる。その結果、第１撮像素子１で撮像したい領
域の、上下方向の位置調整を可能とすることができる。
【０１００】
また、第１支持体３の他の構成の例を、図13を用いて以下に説明する。図13（ａ）は、本発明の撮像装置10の第１支持体３の実施の形態の他の例を示す右側側面図であり、図13（ｂ）は、図13（ａ）に示す第１支持体43を傾けた後の状態を示す右側側面図である。
【０１０１】
図13に示す例では、第１支持体43の下側部材47の第３板材473と支持台５との間に、少
なくとも２つの円筒形状の弾性体61，62が配置されている。なお、それぞれの弾性体61，62の中空部分には、第３板材473と支持台５とのねじ孔を通って両者を接合しているねじ
が貫通している。
【０１０２】
この場合には、図13に示すように、２つのねじのうち、第４板材474側に位置するねじ
が締結された場合には、このねじが通っている弾性体61が、ねじの長さ方向に収縮することによって、第１支持体43全体が傾くこととなる。従って、上側部材46の第２板材462に
取り付けられた第１撮像素子１は、下の方向を撮像することができる。なお、図示していないが、２つのねじのうち、第４板材474側とは反対側に位置するねじが締結された場合
には、このねじが通っている弾性体62がねじの長さ方向に収縮することによって、第１支持体43全体が傾くこととなる。従って、上側部材46の第２板材462に取り付けられた第１
撮像素子１は、上の方向を撮像することができる。その結果、第１撮像素子１で撮像する領域の上下方向の位置調整を可能とすることができる。
【０１０３】
また、第１支持体３の他の構成の例を、図14を用いて以下に説明する。図14（ａ）は、本発明の撮像装置10の第１支持体３の実施の形態の他の例を示す正面図であり、図14（ｂ）は、図14（ａ）に示す第１支持体53の右側側面図であり、図14（ｃ）は、図14（ｂ）に示す第１支持体53を傾けた後の状態を示す右側側面図である。
【０１０４】
図14（ａ）および図14（ｂ）に示す例においては、下側部材57が第３板材473を有して
おらず、下側部材57の第４板材574の下部が幅方向に広くなった幅広部574ａを有している構成の第１支持体53を用いており、支持台５の周縁部には平板63が形成されている。また、第４板材574の幅広部574ａおよび平板63には３つのねじ孔が、三角形状の頂点の位置になるようにそれぞれ形成されており、両者の有する３つのねじ孔は位置が一致している。なお、第４板材574の幅広部574ａおよび平板63は、３つのねじ孔を通るねじによって接合されている。また、第４板材574の幅広部574ａおよび平板63の間には、３つの円筒形状の弾性体71〜73が配置されており、それぞれの弾性体71〜73の中空部分には、第４板材574
の幅広部574ａおよび平板63のねじ孔を通って両者を接合しているねじが貫通している。
【０１０５】
この場合には、図14（ｃ）に示すように、３つのねじのうち、上側に位置するねじが締結された場合には、このねじが通っている弾性体71が、ねじの長さ方向に収縮することによって、第１支持体53全体が傾くこととなる。従って、上側部材56の第２板材562に取り
付けられた第１撮像素子１は、下の方向を撮像することができる。なお、図示していないが、３つのねじのうち、下側に位置する２つのねじが締結された場合には、これらのねじが通っている弾性体72，73がねじの長さ方向に収縮することによって、第１支持体53全体が傾くこととなる。従って、上側部材56の第２板材562に取り付けられた第１撮像素子１
は、上の方向を撮像することができる。その結果、第１撮像素子１によって、撮像する領域の、上下方向の位置調整を可能とすることができる。
【０１０６】
なお、下側に位置する２つのねじ72，73のうちのいずれか一方を締結した場合には、このねじが通っている弾性体がねじの長さ方向に収縮することによって、第１支持体53全体が他方のねじが位置する方に傾くこととなる。その結果、第１撮像素子１によって、撮像する領域の水平方向の位置調整も可能となる。
【０１０７】
なお、図10〜図14を用いた以上の説明では第１支持体23，33，43，53についての詳細を示したが、第２支持体も以上の説明で示した図10〜図14の構成としてよいことは言うまでもない。
【実施例】
【０１０８】
本発明の撮像装置10の実施例を以下に説明する。なお、本実施例においては、図１に示した撮像装置10を用いて、図７および図８に示す例のように、撮像装置10を遊技場20に設置した。
【０１０９】
まず、40台の遊戯機21，22に対して20台の撮像装置10を設置した。つまり、撮像装置１台で２台の遊戯機21，22を撮像するものとした。図８に示すように、40台の遊戯機21，22は、２種類の異なる遊戯機21，22が交互に並んでいるものとした。なお、一方の遊技機21には形成されていないが、他方の遊技機22の一部には、第２撮像素子２と他方の遊戯機22との間に介在することによって他方の遊技機22を撮像することを遮るような凸部31が形成されているものとした。
【０１１０】
なお、撮像装置10は、遊戯機21，22の上部に設置し、ＬＡＮケーブルによって天井近傍に設置したスイッチングハブ83に接続した。また、スイッチングハブ83は子機側無線ＬＡＮルータ24にＬＡＮケーブルによって接続した。
【０１１１】
また、親機側無線ＬＡＮルータ25を管理室28に設置して、子機側無線ＬＡＮルータ24と通信できるようにした。
【０１１２】
また、データサーバ86は、管理室28に設置して、親機側無線ＬＡＮルータ25とＬＡＮケーブルによって接続した。
【０１１３】
なお、データサーバ86には、撮像装置10を制御して画像を表示させるカメラ端末制御表示ソフトウエアを搭載したものを使用した。
【０１１４】
なお、親機側無線ＬＡＮルータ25と子機側無線ＬＡＮルータ24との通信においては、無線ＬＡＮによってＷＰＡ２−ＰＳＫ方式にて暗号化通信を行なうこととした。
【０１１５】
それぞれの撮像装置10には、所定のネットワークアドレス（ＩＰアドレス）を付与することで、データサーバ86から任意に制御するものとした。
【０１１６】
以上のようにして、実施例の撮像装置10を用いたシステムを構築した。
【０１１７】
管理室28では、前述したデータサーバ86から、無線ＬＡＮでの通信を行ないながら各々の撮像装置10の動作を独立して制御した。図示はしていないが、受像装置としての画像表示用の液晶モニターには、２分割した映像画面のそれぞれに第１および第２撮像素子１，２によって得られた２つの画像を同時に表示するようにした。また、２秒毎に順次、画像を表示させる撮像装置10を切り替えた。
【０１１８】
また、データサーバ86には、内部に画像保存用のＨＤＤ装置を搭載し、画像をＪＰＥＧデータとして保存するようにした。データサーバ86では、監視員が受像装置に表示された画像を確認するとともに、何か異常があった場合には特定の撮像装置10のみを長時間監視できるように待機するものとした。
【０１１９】
なお、図８に示した撮像装置10の第１および第２撮像素子１，２の画角29，30は、それぞれ60°とした。
【０１２０】
また、撮像装置10は、一方の遊技機21とその一方の遊技機21に隣接する他方の遊技機22との間の200ｍｍ上方に取り付けた。
【０１２１】
また、第１および第２撮像素子１，２は、それぞれレンズユニットと一体化されているものであり、遊戯者の手元の拡大画像が得られるように、レンズユニットとの間隔等を設定した。なお、図８に示すように、第１撮像素子１は、凸部が形成されていない一方の遊技機21を撮像し、第２撮像素子２は、凸部が形成されている他方の遊技機22を撮像するものとして、第１および第２撮像素子１，２の位置を設定した。
【０１２２】
第１支持体３は、図１および図２に示す例のように、第１および第２板材61，62からなる上側部材６と、第３，第４および第５板材73〜75からなる下側部材７とを有しているものとした。なお、第３板材73は、ねじによって支持台５に接合され、下側部材７の第５板材75は、ねじおよびナットによって上側部材６の第１板材61に接合されるものとした。
【０１２３】
第１支持体３の上側部材６の第１板材61の寸法は、長さが10ｍｍであり、幅が５ｍｍであり、厚みが２ｍｍであるものとし、上側部材６の第２板材62の寸法は、高さが10ｍｍであり、幅が５ｍｍであり、厚みが２ｍｍであるものとした。
【０１２４】
下側部材７の第３板材73の寸法は、長さが10ｍｍであり、幅が５ｍｍであり、厚みが２ｍｍであるものとし、下側部材７の第４板材74の寸法は、高さが20ｍｍであり、幅が５ｍｍであり、厚みが２ｍｍであるものとし、下側部材７の第５板材75の寸法は、長さが10ｍｍであり、幅が５ｍｍであり、厚みが２ｍｍであるものとした。
【０１２５】
第２支持体４の寸法および構成は、第１支持体３と同様とした。
【０１２６】
第１支持体３の他方の端部が取り付けられている位置と、第２支持体４の他方の端部が取り付けられている位置とは、５〜10ｍｍ程度離間しているものとした。
【０１２７】
支持台５は、エポキシ樹脂を使用して、形状は円盤形状であり、寸法は平面視における円形状の直径が20ｍｍであり、厚みが２ｍｍであるものとした。
【０１２８】
次に、比較例として、第１および第２支持体が回転せず固定されている構成の撮像装置を作製した。具体的には、第１および第２支持体のそれぞれにおいては、下側部材の第５板材と上側部材の第１板材とが、ねじによる接合ではなく、溶接によって回転不可能に固定されているものとした。なお、この構成以外は、実施例の撮像装置10と同様のものとした。
【０１２９】
そして、実施例および比較例の撮像装置を使用して、開店時間（午前10時）から閉店時間（午後11時）まで、遊技場の監視を行なった。
【０１３０】
その結果、実施例の撮像装置10の第１撮像素子１は、一方の遊技機21を撮像できるが、当初、第２撮像素子２は、画面に凸部31が写り込むことから、他方の遊技機22を撮像できていなかった。しかし、図９に示すように、第１および第２撮像素子１，２の撮像領域を互いに入れ替えることによって、第１撮像素子１は、他方の遊技機22に形成された凸部31を避けて他方の遊技機22を撮像できることとなり、一方の遊技機21だけでなく他方の遊技機22をも良好に撮像することができた。そして、第１および第２撮像素子１，２によって得られた画像に、不正な行為を行なっている遊戯者が映し出されたので、その画像を状況証拠として、遊戯者にその行為を行なったことを認めさせることに成功した。
【０１３１】
しかしながら、比較例の撮像装置の第２撮像素子によって得られた画像には、不審な行動をしている遊戯者の姿は映っていたが、画面に凸部が写り込むことから、遊戯者の手元が凸部の陰に隠れてしまい、手元までは明確に確認できなかった。
【０１３２】
この結果から、本発明の撮像装置10によれば、第１および第２撮像素子１，２の撮像領域を互いに入れ替えることが可能であることによって、第１撮像素子１は、他方の遊技機22に形成された凸部31を避けて他方の遊技機22を撮像できることとなり、一方の遊技機21だけでなく他方の遊技機22をも良好に撮像できるので、遊技機21，22を良好に撮像して監視することができることが分かった。
【符号の説明】
【０１３３】
１：第１撮像素子
２：第２撮像素子
３，23，33，43，53：第１支持体
４：第２支持体
５：支持台
10：撮像装置
21：一方の遊技機
22：他方の遊技機
87：遊技機群
【図１】
2011199600.tif 000003
【図２】
2011199600.tif 000004
【図３】
2011199600.tif 000005
【図４】
2011199600.tif 000006
【図５】
2011199600.tif 000007
【図６】
2011199600.tif 000008
【図７】
2011199600.tif 000009
【図８】
2011199600.tif 000010
【図９】
2011199600.tif 000011
【図１０】
2011199600.tif 000012
【図１１】
2011199600.tif 000013
【図１２】
2011199600.tif 000014
【図１３】
2011199600.tif 000015
【図１４】
2011199600.tif 000016